【手続補正書】
【提出日】平成16年10月8日(2004.10.8)
【手続補正１】
【補正対象書類名】明細書
【補正対象項目名】特許請求の範囲
【補正方法】変更
【補正の内容】
【特許請求の範囲】
【請求項１】  複数のユーザ機器デバイスであって、該複数のユーザ機器デバイスの各々が、遠隔メディア−オン−デマンドサーバから送達されたメディア−オン−デマンド番組を提示するように設定され、ユーザがメディア−オン−デマンド番組の送達を凍結するように要求可能に設定され、該ユーザが該送達が凍結されたポイントから該送達を再開するように要求可能に設定される、複数のユーザ機器デバイスと、
遠隔メディア−オン−デマンドサーバであって、該複数のユーザ機器デバイスの各々にメディア−オン−デマンド番組を送達するように設定され、該遠隔メディア−オン−デマンドが該複数のユーザ機器デバイスのうちの第１のユーザ機器デバイスからの送達を凍結するための要求を受け取るとき、該メディア−オン−デマンド番組の送達を凍結するように設定され、送達を再開する要求が該複数のユーザ機器デバイスのうちの第２のユーザ機器デバイスから受け取られるとき、該第２のユーザ機器デバイスへの該送達を再開するように設定される遠隔メディア−オン−デマンドと
を備える、対話式メディア−オン−デマンドシステム。
【請求項２】  前記遠隔メディア−オン−デマンドサーバは、異なるユーザがユーザに特定のデータを格納するように仕切られたユーザに割り当てられた格納スペースを含む、請求項１に記載のシステム。
【請求項３】  少なくとも前記ユーザ機器デバイスのうちの前記第１のユーザ機器デバイスは、前記ユーザに前記メディア−オン−デマンド番組の前記送達を凍結するように要求することを可能にするために、表示スクリーンの遠隔オプションを表示するように設定される、請求項１に記載のシステム。
【請求項４】  少なくとも前記ユーザ機器デバイスのうちの前記第２のユーザ機器デバイスは、前記ユーザが前記送達を再開するように要求することを可能にするために、表示スクリーンのオプションを表示するように設定される、請求項１に記載のシステム。
【請求項５】  前記遠隔メディア−オン−デマンドサーバは、前記送達を凍結するための要求が前記ユーザ機器デバイスのうちの前記第１のユーザ機器デバイスから受け取られるとき、前記メディア−オン−デマンド番組の現在の位置を保存する、請求項１に記載のシステム。
【請求項６】  前記メディア−オン−デマンド番組は、前記遠隔サーバが前記現在の位置を検索して、該現在の位置から始まる前記ユーザ機器デバイスのうちの前記第２のユーザ機器デバイスで該メディア−オン−デマンド番組を再生するとき、該ユーザ機器デバイスのうちの該第２のユーザ機器デバイスで再開される、請求項５に記載のシステム。
【請求項７】  前記遠隔メディア−オン−デマンドサーバは、該送達を凍結するための要求が前記第１のユーザ機器デバイスから受け取られるとき、該メディア−オン−デマンド番組を記録し始める、請求項１に記載のシステム。
【請求項８】  前記メディア−オン−デマンドの提示は、前記遠隔メディア−オン−デマンドサーバが前記記録されたメディア−オン−デマンド番組の開始を検索して、該記録されたメディア−オン−デマンド番組の開始から該メディア−オン−デマンド番組を前記第２のユーザ機器デバイスで再生する場合に該第２のユーザ機器デバイスで再開される、請求項７に記載のシステム。
【請求項９】  前記遠隔メディア−オン−デマンドサーバ、および、前記複数のユーザ機器デバイスは、該複数のユーザ機器デバイスから前記システム内にログインする機会を前記ユーザに提供するように設定される、請求項１に記載のシステム。
【請求項１０】  前記ユーザ機器デバイスのうちの前記第１のユーザ機器デバイスは、ログインし、かつ、前記送達を凍結する要求を許可する機会をユーザに提供するログインオプションを含む表示スクリーンを表示するように設定される、請求項９に記載のシステム。
【請求項１１】  前記ユーザ機器デバイスのうちの前記第２のユーザ機器デバイスは、該ユーザが前記システム内にログインするとき、前記ユーザが、送達を再開することを要求可能であるように設定される、請求項１０に記載のシステム。
【請求項１２】  前記遠隔メディア−オン−デマンドサーバ、および、前記複数のユーザ機器デバイスは、前記システムからログアウトする機会を該複数の機器デバイスから前記ユーザに提供するように設定される、請求項１に記載のシステム。
【請求項１３】  前記ユーザ機器デバイスのうちの前記第１のユーザ機器デバイスは、前記システムからログアウトする機会を前記ユーザに提供するログアウトオプションを表示するように設定される、請求項１２に記載のシステム。
【請求項１４】  前記ユーザ機器デバイスのうちの前記第１のユーザ機器デバイスは、選択されている前記ログアウトオプションに応答して提供される送達を凍結することを要求する機会を前記ユーザに提供するように設定される、請求項１３に記載のシステム。
【請求項１５】  前記遠隔メディア−オン−デマンドサーバ、および、前記ユーザ機器デバイスのうちの前記第１のユーザ機器デバイスは、ユーザ個人のメディアを該ユーザ機器デバイスのうちの該第１のユーザ機器デバイスから該遠隔メディア−オン−デマンドサーバにアップロードする機会を前記ユーザに提供するように設定される、請求項１に記載のシステム。
【請求項１６】  前記遠隔メディア−オン−デマンドサーバは、該メディア−オン−デマンド番組が該遠隔メディア−オン−デマンドサーバでユーザに特定の格納スペースに凍結されたポイントを保存するように設定される、請求項１に記載のシステム。
【請求項１７】  前記送達を凍結するための要求は、前記メディア−オン−デマンド番組が前記遠隔メディア−オン−デマンドサーバの前記ユーザに割り当てられた格納スペースで凍結されたポイントを保存する、請求項１に記載のシステム。
【請求項１８】  第１のユーザ機器デバイスおよび第２のユーザ機器デバイスと通信し得る遠隔メディア−オン−デマンドサーバを用いる方法であって、
該第１のユーザ機器デバイスでメディア−オン−デマンド番組を提示する工程と、
該第１のユーザ機器デバイスからのユーザから送達を凍結するように要求して、該メディア−オン−デマンド番組の提示を凍結する工程と、
該第２のユーザ機器デバイスを通してシステムをログインする機会をユーザに提供する工程と、
該第２のユーザ機器デバイスからの送達を再開することを要求して、該メディア−オン−デマンド番組の提示を再開する工程と
を包含する、方法。
【請求項１９】  前記遠隔メディア−オン−デマンドサーバにおいて異なるユーザのために仕切られたユーザに割り当てられた格納スペースにユーザに特定のデータを格納する工程をさらに包含する、請求項１８に記載の方法。
【請求項２０】  前記ユーザが前記メディア−オン−デマンド番組の送達を凍結することを要求可能にする前記第１のユーザ機器デバイスで表示スクリーンに再配置オプションを表示する工程をさらに包含する、請求項１８に記載の方法。
【請求項２１】  前記送達を再開することを要求する機会を提供する前記第２のユーザ機器デバイスで表示スクリーンにオプションを表示する工程をさらに包含する、請求項１８に記載の方法。
【請求項２２】  前記送達を凍結するための要求が受け取られるとき、前記遠隔メディア−オン−デマンドサーバで前記メディア−オン−デマンド番組の現在の位置を保存する工程をさらに包含する、請求項１８に記載の方法。
【請求項２３】  前記再開する工程は、
前記遠隔メディア−オン−デマンドサーバで現在の位置を検索する工程と、
前記第２のユーザ機器デバイスで該現在の位置からの該メディア−オン−デマンド番組を再生する工程と
を包含する、請求項１８に記載の方法。
【請求項２４】  前記送達を凍結するための要求が前記第１のユーザ機器デバイスから受け取られるとき、前記遠隔メディア−オン−デマンドサーバで前記メディア−オン−デマンド番組を記録する工程をさらに包含する、請求項１８に記載の方法。
【請求項２５】  前記再開する工程は、
前記記録されたメディア−オン−デマンド番組の開始を検索する工程と、
前記第２のユーザ機器デバイスで前記記録されたメディア−オン−デマンド番組の開始から該メディア−オン−デマンド番組を再生する工程と
を包含する、請求項１８に記載の方法。
【請求項２６】  前記ユーザに提供する工程は、該ユーザに個人識別情報を入力する機会を提供する工程を包含する、請求項１８に記載の方法。
【請求項２７】  前記個人識別情報に基づいて前記ユーザを識別する工程をさらに包含する、請求項２６に記載の方法。
【請求項２８】  前記ユーザが前記システムにログインするときに送達を再開することを要求する機会を該ユーザに提供する工程をさらに包含する、請求項２６に記載の方法。
【請求項２９】  前記システムからログアウトする機会を前記第１のユーザ機器デバイスから前記ユーザに提供する工程をさらに包含する、請求項１８に記載の方法。
【請求項３０】  前記ユーザにログアウトする機会を提供する工程は、ログアウトオプションを含む表示スクリーンを表示する工程を包含する、請求項２９に記載の方法。
【請求項３１】  選択されている前記ログアウトオプションに応答して前記ユーザへの送達を凍結するための要求を提供する工程をさらに包含する、請求項３０に記載の方法。
【請求項３２】  前記第１のユーザ機器デバイスから前記遠隔メディア−オン−デマンドサーバへのユーザ個人のメディアをアップロードする機会を前記ユーザに提供する工程をさらに包含する、請求項１８に記載の方法。
【請求項３３】  前記送達を凍結するための要求が前記遠隔メディア−オン−デマンドサーバによって受け取られるとき、前記メディア−オン−デマンド番組が前記遠隔メディアサーバでユーザに特定のデータに凍結されたポイントを保存する工程をさらに包含する、請求項１８に記載の方法。